(57)【要約】  【課題】  収容する商品の分量に応じて簡単に容積を可変することができ、疲れずに持ち運びすることができるとともに見栄えもよい携帯用買い物袋を提供すること。【解決手段】      有底（１１）で上部１３が開口した袋状の胴体１０を有し吊り下げて持つ携帯用買い物袋において、この胴体１０に、蛇腹状の縦方向伸縮部分２１を形成し、当該縦方向伸縮部分２１の少なくとも１つの折り返し中央部位２２を挟んで隣接する辺同士(例えば辺２３aと辺２３ｂ)を係止可能かつ係止解除可能な仮止め手段を設けた構成とする。また、仮止め手段を平面ファスナ（３１Ａ，３１Ｂ）から構成する。【選択図】      図１
2010063724.tif 000002
【特許請求の範囲】
【請求項１】
有底で上部が開口した袋状の胴体を有し吊り下げて持つ携帯用買い物袋において、
前記胴体に、蛇腹状の縦方向伸縮部分を形成し、当該縦方向伸縮部分の少なくとも１つの折り返し中央部位を挟んで隣接する辺同士を係止可能かつ係止解除可能な仮止め手段を設けたことを特徴とする携帯用買い物袋。  
【請求項２】
前記仮止め手段が平面ファスナより成ることを特徴とする請求項１記載の携帯用買い物袋。  
【発明の詳細な説明】
【技術分野】
【０００１】
本発明は、一般消費者がスーパーマーケット等の商店で商品を購入する際に家庭から持参して行き、購入商品を収容して持ち運ぶために使用する携帯用買い物袋に関する。
【背景技術】
【０００２】
従来は、スーパーマーケット等で商品（食料品など）を購入すると、当該購入商品をレジで薄い合成樹脂製の使い捨て用袋（レジ袋）に入れてくれることが多かった。最近は、レジ袋の有料化や環境保全への意識向上の高まりなどもあって、買い物に行く際には携帯用の買い物袋を持参する一般消費者も多くなっている。そのため、買い物袋に対する関心も高まり、改良の提案も種種なされている（例えば、特許文献１、２参照）。
【特許文献１】特開２００６−３３４２１５号公報
【特許文献２】特開２００８−２２８７９号公報
【発明の開示】
【発明が解決しようとする課題】
【０００３】
ところで、買い物へ行く際にある程度購入商品の分量は予測がつくものの、実際に商店で買い物をしてみると、予想外に分量が多くなりすぎたりすることがある。この際に、大きめの買い物袋を持参した場合は対処できるが、そうでない場合には購入商品を収容しきれずに往生することがある。そこで、常に大型の買い物袋を持参してゆくことが考えられるが、持ち運びにくく見栄えも悪い。また、購入商品を収容した場合に横方向に広がりすぎて身体から離れた状態で持つようになり疲れやすくなるとともに、持ち運びする際に他人の身体へ当たりやすくなる。
【０００４】
本発明の目的は、収容する商品の分量に応じて簡単に容積を可変することができ、疲れずに持ち運びすることができるとともに見栄えもよい携帯用買い物袋を提供することにある。
【課題を解決するための手段】
【０００５】
請求項１の発明は、有底で上部が開口した袋状の胴体を有し吊り下げて持つ携帯用買い物袋において、前記胴体に、蛇腹状の縦方向伸縮部分を形成し、当該縦方向伸縮部分の少なくとも１つの折り返し中央部位を挟んで隣接する辺同士を係止可能かつ係止解除可能な仮止め手段を設けたことを特徴とするものである。  
【０００６】
上記請求項１記載の発明では、例えば収容商品の分量が少ない場合には、胴体の縦方向伸縮部分の折り返し中央部位を挟んで隣接する辺同士を係止する。これにより、胴体の縦方向長さが短くなり、その結果、商品の収容容積が小さくなる。逆に、収容商品の分量が多い場合には、胴体の縦方向伸縮部分の折り返し中央部位を挟んで隣接する辺同士の係止を解除する。これにより、胴体の縦方向長さが大きくなり、その結果、商品の収容容積が大きくなる。このように、収容する商品の分量に応じて簡単に容積を可変することができる。また、胴体が縦方向（胴体を吊り下げた場合の鉛直方向）に伸縮して容積を可変させるので、横方向に広がることがなく身体に近づけた状態で持つことができ疲れにくい。また、胴体が縦方向に伸縮して容積を可変させることができるので、スマートであり見栄えがよい。
【０００７】
請求項２の発明は、前記仮止め手段が平面ファスナより成ることを特徴とする請求項１記載の携帯用買い物袋である。  
【０００８】
上記請求項２記載の発明の場合、請求項１の発明と同様な作用・効果を奏する他、一段と簡単に胴体の縦方向伸縮部分の隣接する辺同士を係止させたり係止解除させたりすることができる。
【発明の効果】
【０００９】
請求項１の発明によれば、胴体の蛇腹状の縦方向伸縮部分の少なくとも１つの折り返し中央部位を挟んで隣接する辺同士を係止可能かつ係止解除可能な仮止め手段を設けたので、当該縦方向伸縮部分の縦方向長さを変えて容積を可変することができる。そのため、収容する商品の分量に応じて簡単に容積を可変することができる。また、胴体が縦方向（胴体を吊り下げた場合の鉛直方向）に伸縮して容積を可変させるので、横方向に広がることがなく身体に近づけた状態で持つことができ疲れにくい。また、胴体が縦方向に伸縮して容積を可変させることができるので、スマートであり見栄えがよい。
【００１０】
請求項２の発明によれば、仮止め手段を平面ファスナより構成したので、請求項１の発明と同様な効果を奏する他、一段と簡単に胴体の縦方向伸縮部分の隣接する辺同士を係止させたり係止解除させたりすることができる。
【発明を実施するための最良の形態】
【００１１】
以下、本発明の実施の形態を図面を参照しながら説明する。
【００１２】
本発明に係る携帯用買い物袋１は、図１〜図３に示すように、有底（底部１１）で上部１３が開口した袋状の胴体１０と、この胴体１０の上部１３に設けられた取っ手１５とから構成されている。なお、図１および図２は、胴体１０を縦方向に伸ばしきった状態を示す図である。
【００１３】
具体的には、胴体１０は、布製とされており、任意部分で弾性変形可能とされている。胴体１０の縦方向長さ（伸びきった状態の長さ）をＬ０、横方向長さをＬ１０、幅をｗ０で表す。この実施形態では、例えば、Ｌ０＝４１０ｍｍ、Ｌ１０＝３００ｍｍ、ｗ０＝１３０ｍｍとされている。
【００１４】
この胴体１０の側面１２には、蛇腹状の縦方向伸縮部分が形成されている。この実施形態では、胴体１０の縦方向伸縮部分２１は、２段階に伸縮可能に形成されている。なお、胴体１０に、縦方向伸縮部分２１を外側から覆って目隠しするカバー布を設けてもよい。これにより、胴体１０の見栄え等が一段とよくなる。
【００１５】
詳しくは、胴体１０の縦方向伸縮部分２１は、当該胴体１０の側面１２に横方向に平行に連続して形成された２つの折り返し中央部位２２と各中央部位２２を挟んで隣接する辺同士（辺２３aと辺２３ｂ、辺２４aと辺２４ｂ）を係止可能かつ係止解除可能な仮止め手段（３１）とから構成されている。
【００１６】
この実施形態では、上段の折り返し中央部位２２は、胴体１０の上部１３から長さＬ１（この実施形態では１６０ｍｍ）下方の側面１２位置に四角環状に形成されており、下段の折り返し中央部位２２は、胴体１０の上部１３から長さＬ２（この実施形態では３１０ｍｍ）だけ下方の側面１２位置に当該側面１２の表面に沿って四角環状に形成されている。
【００１７】
また、仮止め手段は、平面ファスナ（３１Ａ，３１Ｂ）から形成されている。平面ファスナ３１Ａは、上段の折り返し中央部位２２を挟んで隣接する辺同士（辺２３aと辺２３ｂ）の一方辺(２３a)側に設けられた一方ファスナ構成部材３２と、他方辺（２３ｂ）側に設けられた他方ファスナ構成部材３３とから形成されている。この実施形態では、一方および他方ファスナ構成部材（３２，３３）の幅（縦方向長さ）Ｌ５は、辺（２３a，２３ｂ）の幅Ｌ３（この実施形態では５０ｍｍ）の半分とされている。上段側の他方ファスナ構成部材３３と下段側の一方ファスナ構成部材３２との間の距離Ｌ６は上記長さＬ３と同一とされている。また、下段側の一方および他方ファスナ構成部材（３２，３３）の幅（縦方向長さ）Ｌ５は、辺（２４a，２４ｂ）の幅Ｌ４（この実施形態では５０ｍｍ）の半分とされている。下段側の他方ファスナ構成部材３３と胴体１０の底部１１との間の距離Ｌ７は上記長さＬ４と同一とされている。なお、仮止め手段は、各折り返し中央部位２２を挟んで隣接する辺同士（辺２３aと辺２３ｂ、辺２４aと辺２４ｂ）を係止可能かつ係止解除可能であればどのような構成でもよく、例えば平面ファスナの代わりにボタン止めでもよい。また、平面ファスナと他の手段（例えばボタン）とを組み合わせてもよい。
【００１８】
また、平面ファスナ３１Ｂは、下段の折り返し中央部位２２を挟んで隣接する辺同士（辺２４aと辺２４ｂ）の一方辺(２４a)側に設けられた一方ファスナ構成部材３２と、他方辺（２４ｂ）側に設けられた他方ファスナ構成部材３３とから形成されている。平面ファスナ（３１Ａ，３１Ｂ）は、それぞれの折り返し中央部位２２と平行になるように胴体１０の側面１２に設けられている。
【００１９】
上記構成の携帯用買い物袋１では、収容商品の分量が少ない場合には、例えば図４（Ｂ）に示すように、胴体１０の上段の縦方向伸縮部分２１の各折り返し中央部位２２を挟んで隣接する辺同士（辺２３aと辺２３ｂ）を係止する。これにより、胴体１０の縦方向長さが短くなり、その結果、商品の収容容積が小さくなる。このように一段階縮めると、胴体１０は、図１および図２で示す長さ（伸びきった状態の長さ）Ｌ０よりも（Ｌ３＋Ｌ６）短くなる。すなわち、Ｌ０＝Ｌ０−（Ｌ３＋Ｌ６）。また、図４（Ｃ）に示すように、胴体１０の下段の折り返し中央部位２２を挟んで隣接する辺同士（辺２４aと辺２４ｂ）を係止すれば、胴体１０の縦方向長さが一段と短くなり、その結果、商品の収容容積を最小にできる。このようにすれば、胴体１０は、図１および図２で示す長さＬ０よりも（Ｌ３＋Ｌ４＋Ｌ６＋Ｌ７）短くなる。すなわち、Ｌ０＝Ｌ０−（Ｌ３＋Ｌ４＋Ｌ６＋Ｌ７）。
【００２０】
逆に、収容商品の分量が多い場合には、例えば図４（Ａ）に示すように、胴体１０の縦方向伸縮部分２１の折り返し中央部位２２を挟んで隣接する辺同士（辺２３aと辺２３ｂ、辺２４aと辺２４ｂ）の係止を解除する。これにより、胴体１０の縦方向長さが大きくなり、その結果、商品の収容容積が大きくなる。
【００２１】
このように、収容する商品の分量に応じて簡単に容積を可変することができる。また、胴体１０が縦方向（胴体１０を吊り下げた場合の鉛直方向）に伸縮して容積を可変させるので、横方向に広がることがなく身体（体幹）に近づけた状態で持つことができ疲れにくい。また、胴体１０が縦方向に伸縮して容積を可変させることができるので、スマートであり見栄えがよい。
【００２２】
また、この実施形態では、仮止め手段を平面ファスナ３１から形成したので、一段と簡単に胴体１０の縦方向伸縮部分の隣接する辺同士（辺２３aと辺２３ｂ、辺２４aと辺２４ｂ）を係止させたり係止解除させたりすることができる。
【図面の簡単な説明】
【００２３】
【図１】本発明に係る携帯用買い物袋の全体構成を示す正面図である。
【図２】本携帯用買い物袋の側面図である。
【図３】本携帯用買い物袋の側面図である。
【図４】胴体の縦方向伸縮部分の機能を説明するための図である。
【図５】本携帯用買い物袋の伸縮を模式的に説明するための図である。
【符号の説明】
【００２４】
１    携帯用買い物袋
１０    胴体
１１    底部
１２    側面
１３    上部
１５    取っ手
２１    縦方向伸縮部分
２２    折り返し中央部位
３１  平面ファスナ
３２  一方ファスナ構成部材
３３  他方ファスナ構成部材
【図１】
2010063724.tif 000003
【図２】
2010063724.tif 000004
【図３】
2010063724.tif 000005
【図４】
2010063724.tif 000006
【図５】
2010063724.tif 000007